(57)【要約】【課題】  本発明は、受信状態が変化する場合、ユーザが音声又は映像を視聴可能な確率が従来よりも高く、従来よりユーザに与える満足度が高い受信装置を提供する。【解決手段】  本発明の受信装置は、デジタル音声データを含むデータストリームを受信する受信部と、デジタルストリームから同期信号を検出し、デジタル音声データを検出して復調し、誤り訂正復号化して出力する復調部と、復調部が同期ロック出来ない場合は、デジタル音声データをミュートして出力せず、復調部が同期ロックし且つデジタル音声データの誤り率が所定値以下である場合は、デジタル音声データをそのまま出力し、復調部が同期ロックし且つデジタル音声データの誤り率が所定値より高い場合は、デジタル音声データが人間の聴覚に与える刺激を弱めるようにデジタル音声データに所定の加工をする信号加工処理部と、を有する。【選択図】    図１
2006067122.tif 000002
【特許請求の範囲】
【請求項１】
デジタル音声データを含むデータストリームを受信する受信部と、
前記デジタルストリームから同期信号を検出し、前記デジタル音声データを検出して復調し、誤り訂正復号化して出力する復調部と、
前記復調部が同期ロック出来ない場合は、前記デジタル音声データをミュートして出力せず、前記復調部が同期ロックし且つ前記デジタル音声データの誤り率が所定値以下若しくはＣ／Ｎ比（Carrier to Noise比）が所定値以上である場合は、前記デジタル音声データをそのまま出力し、前記復調部が同期ロックし且つ前記デジタル音声データの誤り率が所定値より高い若しくはＣ／Ｎ比が所定値より低い場合は、前記デジタル音声データが人間の聴覚に与える刺激を弱めるように前記デジタル音声データに所定の加工をする信号加工処理部と、
を有することを特徴とする受信装置。
【請求項２】
前記信号加工処理部は、前記復調部が同期ロックし且つ前記デジタル音声データの誤り率が所定値より高い若しくはＣ／Ｎ比が所定値より低い場合は、前記デジタル音声データの振幅レベルを低くし及び／又は周波数帯域を狭くして出力することを特徴とする請求項１に記載の受信装置。
【請求項３】
前記データストリームが更にデジタル映像データを含み、
前記復調部が前記デジタルストリームから同期信号を検出して同期ロックし、デジタル映像データを検出して復調して出力し、前記デジタル音声データを検出できない場合は、前記信号加工処理部は、ホワイトノイズを生成し、音声信号として出力する、ことを特徴とする請求項１に記載の受信装置。
【請求項４】
デジタル映像データを含むデータストリームを受信する受信部と、
前記デジタルストリームから同期信号を検出し、前記デジタル映像データを検出して復調し、誤り訂正復号化して出力する復調部と、
前記復調部が同期ロック出来ない場合は、前記デジタル映像データをミュートして出力せず、前記復調部が同期ロックし且つ前記デジタル映像データの誤り率が所定値以下若しくはＣ／Ｎ比が所定値以上である場合は、前記デジタル映像データをそのまま出力し、前記復調部が同期ロックし且つ前記デジタル映像データの誤り率が所定値より高い若しくはＣ／Ｎ比が所定値より低い場合は、所定フレーム期間毎に、前記所定フレーム期間の全ての前記デジタル映像データから１フレームの映像データを生成し、出力する信号加工処理部と、
を有することを特徴とする受信装置。
【請求項５】
前記信号加工処理部は、前記復調部が同期ロックし且つ前記デジタル映像データの誤り率が所定値より高い若しくはＣ／Ｎ比が所定値より低い場合は、所定フレーム期間毎に、前記所定フレーム期間の全ての前記デジタル映像データから最も誤り率が低いフレームのデジタル映像データを選択し、出力することを特徴とする請求項４に記載の受信装置。
【請求項６】
前記信号加工処理部は、前記復調部が同期ロックし且つ前記デジタル映像データの誤り率が所定値より高い若しくはＣ／Ｎ比が所定値より低い場合は、所定フレーム期間毎に、前記所定フレーム期間の全てのフレームの前記デジタル映像データを所定の領域に分割し、各領域について全フレームの中で最も誤り率が低いフレームを選択し、選択された各領域の前記デジタル映像データを合成して１フレームの映像データを生成し、出力することを特徴とする請求項４に記載の受信装置。
【請求項７】
デジタル映像データを含むデータストリームを受信する受信部と、
前記デジタルストリームから同期信号を検出し、前記デジタル映像データを検出して復調し、誤り訂正復号化して出力する復調部と、
前記復調部が同期ロック出来ない場合は、前記デジタル映像データをミュートして出力せず、前記復調部が同期ロックし且つ前記デジタル映像データの誤り率が所定値以下若しくはＣ／Ｎ比が所定値以上である場合は、前記デジタル映像データをそのまま出力し、前記復調部が同期ロックし且つ前記デジタル映像データの誤り率が所定値より高い若しくはＣ／Ｎ比が所定値より低い場合は、ホワイトノイズを生成し前記デジタル映像データに加算する信号加工処理部と、
を有することを特徴とする受信装置。
【請求項８】
前記信号加工処理部は、前記デジタル映像データの誤り率が高い程若しくはＣ／Ｎ比が低い程、振幅レベルが大きいホワイトノイズを生成し前記デジタル映像データに加算することを特徴とする請求項７に記載の受信装置。
【請求項９】
前記信号加工処理部が前記デジタル映像データ又は前記デジタル音声データを出力しない場合、出力しないデジタルデータについての、デジタルデータを誤り訂正する処理より後の処理回路の少なくとも一部へのクロックの供給又は電力供給を停止することを特徴とする請求項１から請求項８のいずれかの請求項に記載の受信装置。
【請求項１０】
相互に接続されたＩＣカードとホスト装置とを有し、
前記ＩＣカードが前記受信部と前記復調部とを有し、
前記ホスト装置が前記信号加工処理部を有し、
前記ＩＣカードから前記ホスト装置に、復号化された前記デジタル音声データ又は前記デジタル映像データと、前記デジタル音声データ又は前記デジタル映像データの誤り率若しくはＣ／Ｎ比に関する情報と、を送信し、又はそれらに加えて、前記復調部が同期ロックしているか否かの情報を送信する、
ことを特徴とする請求項１から請求項９のいずれかの請求項に記載の受信装置。
【請求項１１】
デジタル音声データ又はデジタル映像データを含むデータストリームを受信する受信部と、
前記デジタルストリームから同期信号を検出し、前記デジタル音声データを検出して復調し、誤り訂正復号化して出力する復調部と、
ホスト装置との間で通信を行い、復号化された前記デジタル音声データ又は前記デジタル映像データと、前記デジタル音声データ又は前記デジタル映像データの誤り率又はＣ／Ｎ比に関する情報と、を前記ホスト装置に送信し、又はそれらに加えて、前記復調部が同期ロックしているか否かの情報を前記ホスト装置に送信するインターフェース部と、
を有することを特徴とするＩＣカード。
【請求項１２】
デジタル音声データを含むデータストリームを受信する受信部と前記デジタルストリームから同期信号を検出し前記デジタル音声データを検出して復調し誤り訂正復号化して出力する復調部とを有するＩＣカードとの間で通信を行い、復号化された前記デジタル音声データと、前記デジタル音声データの誤り率若しくはＣ／Ｎ比に関する情報と、を前記ＩＣカードから受信し、又はそれらに加えて前記復調部が同期ロックしているか否かの情報を前記ＩＣカードから受信するインターフェース部と、
前記復調部が同期ロック出来ない場合は、前記デジタル音声データをミュートして出力せず、前記復調部が同期ロックし且つ前記デジタル音声データの誤り率が所定値以下若しくはＣ／Ｎ比が所定値以上である場合は、前記デジタル音声データをそのまま出力し、前記復調部が同期ロックし且つ前記デジタル音声データの誤り率が所定値より高い若しくはＣ／Ｎ比が所定値より低い場合は、前記デジタル音声データがユーザの聴覚に与える刺激を弱めるように前記デジタル音声データに所定の加工をする信号加工処理部と、
を有することを特徴とするホスト装置。
【請求項１３】
前記信号加工処理部は、前記復調部が同期ロックし且つ前記デジタル音声データの誤り率が所定値より高い若しくはＣ／Ｎ比が所定値より低い場合は、前記デジタル音声データの振幅レベルを低くし及び／又は周波数帯域を狭くして出力することを特徴とする請求項１２に記載のホスト装置。
【請求項１４】
前記データストリームが更にデジタル映像データを含み、
前記インターフェース部は、前記復調部が前記デジタルストリームから誤り訂正復号化して出力したデジタル映像データを更に受信し、
前記復調部が同期ロックして復号化された前記デジタル映像データを出力し、且つ前記デジタル音声データを検出できない場合は、前記信号加工処理部は、ホワイトノイズを生成し、音声信号として出力する、
ことを特徴とする請求項１２に記載のホスト装置。
【請求項１５】
デジタル映像データを含むデータストリームを受信する受信部と前記デジタルストリームから同期信号を検出し前記デジタル映像データを検出して復調し誤り訂正復号化して出力する復調部とを有するＩＣカードとの間で通信を行い、復号化された前記デジタル映像データと、前記デジタル映像データの誤り率若しくはＣ／Ｎ比に関する情報と、を前記ＩＣカードから受信し、又はそれらに加えて前記復調部が同期ロックしているか否かの情報を前記ＩＣカードから受信するインターフェース部と、
前記復調部が同期ロック出来ない場合は、前記デジタル映像データをミュートして出力せず、前記復調部が同期ロックし且つ前記デジタル映像データの誤り率が所定値以下若しくはＣ／Ｎ比が所定値以上である場合は、前記デジタル映像データをそのまま出力し、前記復調部が同期ロックし且つ前記デジタル映像データの誤り率が所定値より高い若しくはＣ／Ｎ比が所定値より低い場合は、所定フレーム期間毎に、前記所定フレーム期間の全ての前記デジタル映像データから１フレームの映像データを生成し、出力する信号加工処理部と、
を有することを特徴とするホスト装置。
【請求項１６】
前記インターフェース部は、フレーム毎の前記デジタル映像データの誤り率に関する情報を受信し、
前記信号加工処理部は、前記復調部が同期ロックし且つ前記デジタル映像データの誤り率が所定値より高い若しくはＣ／Ｎ比が所定値より低い場合は、所定フレーム期間毎に、前記所定フレーム期間の全ての前記デジタル映像データから最も誤り率が低い映像データを選択し、その映像データを出力することを特徴とする請求項１５に記載のホスト装置。
【請求項１７】
前記インターフェース部は、フレーム毎の、前記フレームを複数の領域に分割した各領域についての前記デジタル映像データの誤り率に関する情報を受信し、
前記信号加工処理部は、前記復調部が同期ロックし且つ前記デジタル映像データの誤り率が所定値より高い若しくはＣ／Ｎ比が所定値より低い場合は、所定フレーム期間毎に、前記所定フレーム期間の各領域について、全フレームの前記デジタル映像データの中で最も誤り率が低いフレームを選択し、選択された各領域の前記デジタル映像データを合成して１フレームの映像データを生成し、出力することを特徴とする請求項１５に記載のホスト装置。
【請求項１８】
デジタル映像データを含むデータストリームを受信する受信部と前記デジタルストリームから同期信号を検出し前記デジタル映像データを検出して復調し誤り訂正復号化して出力する復調部とを有するＩＣカードとの間で通信を行い、復号化された前記デジタル映像データと、前記デジタル映像データの誤り率若しくはＣ／Ｎ比に関する情報と、を前記ＩＣカードから受信し、又はそれらに加えて前記復調部が同期ロックしているか否かの情報を前記ＩＣカードから受信するインターフェース部と、
前記復調部が同期ロック出来ない場合は、前記デジタル映像データをミュートして出力せず、前記復調部が同期ロックし且つ前記デジタル映像データの誤り率が所定値以下若しくはＣ／Ｎ比が所定値以上である場合は、前記デジタル映像データをそのまま出力し、前記復調部が同期ロックし且つ前記デジタル映像データの誤り率が所定値より高い若しくはＣ／Ｎ比が所定値より低い場合は、ホワイトノイズを生成し前記デジタル映像データに加算する信号加工処理部と、
を有することを特徴とするホスト装置。
【請求項１９】
前記信号加工処理部は、前記デジタル映像データの誤り率が高い程若しくはＣ／Ｎ比が低い程、振幅レベルが大きいホワイトノイズを生成し前記デジタル映像データに加算することを特徴とする請求項１８に記載のホスト装置。
【請求項２０】
前記信号加工処理部が前記デジタル映像データ又は前記デジタル音声データを出力しない場合、出力しないデジタルデータについての、デジタルデータを誤り訂正する処理より後の処理回路の少なくとも一部へのクロックの供給又は電力供給を停止することを特徴とする請求項１２から請求項１９のいずれかの請求項に記載のホスト装置。
【発明の詳細な説明】
【技術分野】
【０００１】
本発明は、受信装置、ＩＣカード及びホスト装置に関する。
【背景技術】
【０００２】
固定設置型の地上波デジタル放送信号の受信装置においては、最良の受信状態を得るようにアンテナを設置する。受信装置は、受信した放送信号を復調し出力する。しかし、何らかの原因で受信状態が悪化する場合がある。
【０００３】
特開平１０−２８０６５号公報に、従来例のデジタル放送受信装置が開示されている。従来例のデジタル放送受信装置においては、受信したデジタル放送信号の誤り率が高くなって適正な信号品位でない場合、映像信号及び／又は音声信号の出力をミュート（出力を停止）した。
固定設置型の地上波デジタル放送信号の受信装置においては、受信したデジタル放送信号の誤り率が高くなって適正な信号品位を保てなくなることは、きわめてまれに発生する故に、従来例の受信方法はユーザに満足を与えることができる。
【特許文献１】特開平１０−２８０６５号公報
【発明の開示】
【発明が解決しようとする課題】
【０００４】
しかし、例えば地上波デジタル放送信号の受信機能を持つ携帯端末においては、ユーザが携帯端末を持って移動する故に、受信状態がたえず変動する。しばしば受信したデジタル放送信号の誤り率が高くなって適正な信号品位を保てなくなる。従来例のデジタル放送受信装置においては、しばしば映像信号及び／又は音声信号がミュートされる（中断される）故に、ユーザは満足に放送番組を視聴できないという問題があった。
【０００５】
携帯端末が受信した放送信号を受信状態にかかわらずそのまま出力するならば、例えばデジタルエラーを含む音声信号はしばしば極めて不快な雑音を含む故に、ユーザに満足を与えることは出来ない。
【０００６】
デジタルエラーを含む映像信号は、例えばデータエラーを完全に訂正できない程誤り率が高く且つ画面の大部分について正しい映像データを復号化できる程度の受信状態において、ディスプレイに表示される画像は、デジタル信号特有のランダムノイズが画面上に離散的に発生する画像となる。画面上において、各ピクセルは、正確な映像信号（輝度、色相、彩度）を表示するか、又は全くランダムなノイズを表示するかのどちらかである。一般のユーザは、受信状態がしばしば悪化する状況でデジタル放送の受信信号を視聴することに慣れていない。アナログ放送に慣れ親しんできたユーザは、映像信号及び音声信号共に、受信状態が悪くなれば、放送信号とホワイトノイズが混じった信号が再生されると思っている。ユーザが受信状態が悪化している時の映像信号を見て、受信装置が故障したと判断する恐れがあるという問題があった。
【０００７】
正確な映像信号（輝度、色相、彩度）を表示するピクセルと、全くランダムなノイズを表示するピクセルとで構成された画面は、美しい表示と完全なノイズとのコントラストが際立ち、ユーザに強い不快感を与えるという問題があった。
【０００８】
近年、種々のＩＣカードを装着可能な携帯端末が市場に広まりつつある。携帯端末自体に種々の機能を搭載したならば、携帯端末は大きく重く高価になり消費電力も増大するのでかえって商品価値が下がる。携帯端末に基本的な機能のみを搭載し、種々の機能をそれぞれ有するＩＣカードをオプションとしてユーザが携帯端末に装着出来るように準備すれば、ユーザは希望する機能を有する小型で軽くて消費電力も小さい携帯端末及びＩＣカードを適切な価格で取得できる。このようなＩＣカードの１つとして、デジタル放送信号の受信機能を持つＩＣカードが考えられる。しかし、携帯端末と比較してもはるかに小さいＩＣカードに全ての機能を盛り込むことは困難である。デジタル放送の受信から出力までの処理をＩＣカードとホスト装置（上記の例では携帯端末）とで分担して行う受信装置において、上記の問題を解決することは、更に困難であった。
更に、ＩＣカードにおいて低消費電力化することは極めて重要な課題であった。
【０００９】
本発明は、受信状態が変化する場合、ユーザが音声又は映像を視聴可能な確率が従来よりも高く、従来よりユーザに与える満足度が高い受信装置、ＩＣカード及びホスト装置を提供することを目的とする。
本発明は、受信状態が変化する場合、ユーザが音声又は映像を視聴可能な確率が従来よりも高く、且つ音声又は映像にデジタル雑音が混じってもユーザに不快感をあまり感じさせない、従来よりユーザに与える満足度が高い受信装置、ＩＣカード及びホスト装置を提供することを目的とする。
【００１０】
本発明は、受信状態が悪化して復号化された音声データ又は映像データの誤り率が訂正できない程高くなった場合、再生された音声又は映像がユーザに与える不快感を従来より軽減し、ユーザが受信装置が故障したと誤って判断する可能性が従来より低い受信装置、ＩＣカード及びホスト装置を提供することを目的とする。
本発明は、低消費電力の受信装置、ＩＣカード及びホスト装置を提供することを目的とする。
【課題を解決するための手段】
【００１１】
上記問題を解決するために、本発明は以下の構成を有する。請求項１に記載の発明は、デジタル音声データを含むデータストリームを受信する受信部と、前記デジタルストリームから同期信号を検出し、前記デジタル音声データを検出して復調し、誤り訂正復号化して出力する復調部と、前記復調部が同期ロック出来ない場合は、前記デジタル音声データをミュートして出力せず、前記復調部が同期ロックし且つ前記デジタル音声データの誤り率が所定値以下若しくはＣ／Ｎ比（Carrier to Noise比）が所定値以上である場合は、前記デジタル音声データをそのまま出力し、前記復調部が同期ロックし且つ前記デジタル音声データの誤り率が所定値より高い若しくはＣ／Ｎ比が所定値より低い場合は、前記デジタル音声データが人間の聴覚に与える刺激を弱めるように前記デジタル音声データに所定の加工をする信号加工処理部と、を有することを特徴とする受信装置である。
【００１２】
従来の受信装置においては、受信状態に応じて、音声信号をミュートするか又は音声信号を復調してそのまま出力するかの２種類の方法で音声信号を処理した。本発明においては、受信状態に応じて、音声信号をミュートするか、デジタル音声データが人間の聴覚に与える刺激を弱めるようにデジタル音声データに所定の加工をして出力するか、又は音声信号を復調してそのまま出力するかの３種類の方法で音声信号を処理する。
【００１３】
復調部が同期ロックしている場合、個々のビットデータに誤りがあっても、復調部は、デジタルストリーム全体としては正常な動作を維持できている。復調部が同期ロックできなくなった場合、復調部が読み取ったデータは全て無効である。本発明においては、データが全て無効である場合に音声信号をミュートし、音声信号が劣化してるが全体としては正常に再生されている場合には、所定の加工をして出力する。
【００１４】
「同期ロック」とは、復調部が、データストリームの同期信号を検出し、データストリームから音声データ（映像データについての請求項においては映像データ）を正常に読み取れる状態を意味する。
信号加工処理部が、復調部が同期ロックしたか否かの情報を取得する場合は、「同期ロックする」又は「同期ロックできない」は、事実を意味する。信号加工処理部が、復調部が同期ロックしたか否かの情報を取得せず、入力したデジタル音声データの誤り率若しくはＣ／Ｎ比の情報から復調部が同期ロックしたか否かを推定する場合は、「同期ロックする」又は「同期ロックできない」は、推定結果を意味する（デジタル映像データについても同様）。「同期ロックする」又は「同期ロックできない」の語は、事実のみならず、推定結果も含む。
【００１５】
復調部が同期ロック状態に引き込まれる時のデジタル音声データの誤り率（又はＣ／Ｎ比）、及び復調部が同期ロック状態から外れる時のデジタル音声データの誤り率（又はＣ／Ｎ比）は、ほぼ定まっている。デジタル音声データの誤り率（又はＣ／Ｎ比）をパラメータとして、復調部は、同期ロック状態に引き込まれる時と、同期ロック状態から外れる時とでヒステリシスを有する。「復調部が同期ロック」するという状態についての信号加工処理部の判断は、実施の形態２において示すように、復調部が同期ロックを外れたという情報そのものに基づいてされても良く、又は実施の形態１において示すように、デジタル音声データの誤り率（又はＣ／Ｎ比）に基づいて、２つの異なるデジタル音声データの誤り率（又はＣ／Ｎ比）の閾値と、ヒステリシスと、を考慮して間接的にされても良い。
【００１６】
即ち、デジタル音声データの誤り率が第１の閾値より高い（悪い）場合（又はＣ／Ｎ比が第１の閾値より低い場合）に本発明の「同期ロックできなくなった」場合と同様の処理を行い、誤り率が第１の閾値より低い（良い）第２の閾値より誤り率が低くなれば（又はＣ／Ｎ比が第１の閾値より高い第２の閾値よりＣ／Ｎ比が高くなれば）、本発明の「同期ロックした」場合の処理と同様の処理を行い、デジタル音声データの誤り率（又はＣ／Ｎ比）が第１の閾値と第２の閾値との間であれば、誤り率が第１の閾値より高い状態からその状態に遷移した場合（又はＣ／Ｎ比が第１の閾値より低い状態からその状態に遷移した場合）は、「同期ロックできなくなった」場合と同様の処理を行い、誤り率が第２の閾値より低い状態からその状態に遷移した場合（又はＣ／Ｎ比が第２の閾値より高い状態からその状態に遷移した場合）は、「同期ロックした」場合の処理と同様の処理を行う受信装置は、本発明の技術的範囲に含まれる。
【００１７】
本発明の受信装置が例えば地上波デジタル放送を受信する携帯端末であるとする。本発明の受信装置において、ユーザの移動に伴いしばしば放送信号の受信状態が悪化した場合、音声信号が中断される（ミュートされる）確率は従来より低くなる。受信状態が悪化した状態において音声信号を出力する場合、音声信号に含まれる不快な雑音は弱められている。本発明により、受信状態が変化する場合、ユーザが音声を視聴可能な確率が従来より高くなり、且つ音声にデジタル雑音が混じってもユーザに不快感をあまり感じさせない、従来よりユーザに与える満足度が高い受信装置を実現できる。
【００１８】
受信装置が受信する信号は任意である。本発明は、受信状態が変動する受信装置において特に従来例に無い特有の優れた効果を奏する。受信状態が変動する受信装置とは、典型的には無線信号を受信する受信装置であって、例えばデジタル衛星放送の受信装置、デジタル地上波放送の受信装置、携帯電話等である。
【００１９】
請求項２に記載の発明は、前記信号加工処理部は、前記復調部が同期ロックし且つ前記デジタル音声データの誤り率が所定値より高い若しくはＣ／Ｎ比が所定値より低い場合は、前記デジタル音声データの振幅レベルを低くし及び／又は周波数帯域を狭くして出力することを特徴とする請求項１に記載の受信装置である。
【００２０】
本発明により、音声信号の内容についての基本的な情報を保持しつつ、デジタル音声データの誤りにより発生する極めて不快で鼓膜に衝撃を与える雑音の音量を下げ、及び／又は脳を刺激する雑音の高調波成分を抑圧できる。受信状態が悪化して音声にデジタル雑音が混じっても、ユーザに不快感をあまり感じさせない、従来よりユーザに与える満足度が高い受信装置を実現できる。
【００２１】
請求項３に記載の発明は、前記データストリームが更にデジタル映像データを含み、前記復調部が前記デジタルストリームから同期信号を検出して同期ロックし、デジタル映像データを検出して復調して出力し、前記デジタル音声データを検出できない場合は、前記信号加工処理部は、ホワイトノイズを生成し、音声信号として出力する、ことを特徴とする請求項１に記載の受信装置である。
【００２２】
映像信号が再生されていながら、音声信号が突然途切れると、突然全くの無音状態になるというユーザに与える違和感が大きく、しばしばユーザは受信装置が故障したのではないかと考える。映像信号が再生されているにもかかわらず音声信号を再生できなくなった場合、本発明においてはホワイトノイズを音声信号として出力することにより、突然全くの無音状態になるという違和感を和らげ、ユーザに受信装置が故障していないという安心感を与える。
ホワイトノイズの発生方法は任意である。例えば乱数発生回路が発生する乱数データを用いる。
【００２３】
請求項４に記載の発明は、デジタル映像データを含むデータストリームを受信する受信部と、前記デジタルストリームから同期信号を検出し、前記デジタル映像データを検出して復調し、誤り訂正復号化して出力する復調部と、前記復調部が同期ロック出来ない場合は、前記デジタル映像データをミュートして出力せず、前記復調部が同期ロックし且つ前記デジタル映像データの誤り率が所定値以下若しくはＣ／Ｎ比が所定値以上である場合は、前記デジタル映像データをそのまま出力し、前記復調部が同期ロックし且つ前記デジタル映像データの誤り率が所定値より高い若しくはＣ／Ｎ比が所定値より低い場合は、所定フレーム期間毎に、前記所定フレーム期間の全ての前記デジタル映像データから１フレームの映像データを生成し、出力する信号加工処理部と、を有することを特徴とする受信装置である。
【００２４】
画面上に表示された全くランダムなノイズは、ユーザに強い不快感を与える。本発明においては、所定フレーム期間毎に、所定フレーム期間の全てのデジタル映像データから最もノイズが少ない１フレームの映像データを生成し、出力する故に、ユーザに与える不快感を大幅に軽減できる。
【００２５】
「所定フレーム期間毎に１フレームの映像データを出力する」ことは、所定フレーム期間に１フレームの映像信号を１回出力すること、及び所定フレーム期間に１フレームの映像信号を所定回数繰り返し出力すること、のどちらでも良い。例えば３０フレーム／秒の標準レートの映像信号において、５フレーム毎に１フレームの画像を出力すること（６フレーム／秒）、１フレームの画像を５回ずつ繰り返し出力すること（３０フレーム／秒）、のどちらでも良い。
【００２６】
請求項５に記載の発明は、前記信号加工処理部は、前記復調部が同期ロックし且つ前記デジタル映像データの誤り率が所定値より高い若しくはＣ／Ｎ比が所定値より低い場合は、所定フレーム期間毎に、前記所定フレーム期間の全ての前記デジタル映像データから最も誤り率が低いフレームのデジタル映像データを選択し、出力することを特徴とする請求項４に記載の受信装置である。本発明により、簡単な構成で、ユーザに与える不快感を大幅に軽減できる。
【００２７】
請求項６に記載の発明は、前記信号加工処理部は、前記復調部が同期ロックし且つ前記デジタル映像データの誤り率が所定値より高い若しくはＣ／Ｎ比が所定値より低い場合は、所定フレーム期間毎に、前記所定フレーム期間の全てのフレームの前記デジタル映像データを所定の領域に分割し、各領域について全フレームの中で最も誤り率が低いフレームを選択し、選択された各領域の前記デジタル映像データを合成して１フレームの映像データを生成し、出力することを特徴とする請求項４に記載の受信装置である。本発明により、画面上のデジタルノイズを更に低減でき、ユーザに与える不快感を大幅に軽減できる。
【００２８】
請求項７に記載の発明は、デジタル映像データを含むデータストリームを受信する受信部と、前記デジタルストリームから同期信号を検出し、前記デジタル映像データを検出して復調し、誤り訂正復号化して出力する復調部と、前記復調部が同期ロック出来ない場合は、前記デジタル映像データをミュートして出力せず、前記復調部が同期ロックし且つ前記デジタル映像データの誤り率が所定値以下若しくはＣ／Ｎ比が所定値以上である場合は、前記デジタル映像データをそのまま出力し、前記復調部が同期ロックし且つ前記デジタル映像データの誤り率が所定値より高い若しくはＣ／Ｎ比が所定値より低い場合は、ホワイトノイズを生成し前記デジタル映像データに加算する信号加工処理部と、を有することを特徴とする受信装置である。
【００２９】
完全なエラー訂正ができなかった画像においては、各ピクセルにおいて、デジタル映像データ及びデジタルノイズのいずれか一方が排他的に表示される（いわゆるノンアディティブミックス）。正確な映像信号（輝度、色相、彩度）を表示するピクセルと、全くランダムなノイズを表示するピクセルとで構成された画面は、美しい表示と完全なノイズとのコントラストが際立ち、ユーザに強い不快感を与える。本発明においては、デジタル映像データにホワイトノイズを加算することにより、アナログ放送信号に慣れたユーザにとって自然に感じる劣化した画像を表示できる。これにより美しい表示と完全なノイズとのコントラストを和らげ、ユーザに与える不快感を低減する。ユーザが誤って受信装置が故障と判断する可能性を低くすることが出来る。
【００３０】
「ホワイトノイズをデジタル映像データに加算」とは、各ピクセルにおいて、デジタル映像データにホワイトノイズを加算（ホワイトノイズが負値の場合は実質的に減算）した信号を生成することを意味する（いわゆるアディティブミックス）。
【００３１】
請求項８に記載の発明は、前記信号加工処理部は、前記デジタル映像データの誤り率が高い程若しくはＣ／Ｎ比が低い程、振幅レベルが大きいホワイトノイズを生成し前記デジタル映像データに加算することを特徴とする請求項７に記載の受信装置である。
【００３２】
受信状態が悪化して復号データの誤り率が高くなる程、正確な画像を表示するピクセルが減少し、デジタルノイズを表示するピクセルが増加する。本発明においては、デジタルノイズを表示するピクセルが多い程、デジタル映像データに加算するホワイトノイズのレベルを大きくするので、美しい表示と完全なノイズとのコントラストを自然に和らげることができる。画面に加算されたホワイトノイズのレベルで、アナログ放送信号を見慣れたユーザに受信状態の悪化の程度を知らせることができる。
【００３３】
請求項９に記載の発明は、前記信号加工処理部が前記デジタル映像データ又は前記デジタル音声データを出力しない場合、出力しないデジタルデータについての、デジタルデータを誤り訂正する処理より後の処理回路の少なくとも一部へのクロックの供給又は電力供給を停止することを特徴とする請求項１から請求項８のいずれかの請求項に記載の受信装置である。本発明は、低消費電力の受信装置を実現できる。例えば電池で駆動される携帯型の受信装置において、電池の駆動時間を長くすることが出来る。
【００３４】
請求項１０に記載の発明は、相互に接続されたＩＣカードとホスト装置とを有し、前記ＩＣカードが前記受信部と前記復調部とを有し、前記ホスト装置が前記信号加工処理部を有し、前記ＩＣカードから前記ホスト装置に、復号化された前記デジタル音声データ又は前記デジタル映像データと、前記デジタル音声データ又は前記デジタル映像データの誤り率若しくはＣ／Ｎ比に関する情報と、を送信し、又はそれらに加えて、前記復調部が同期ロックしているか否かの情報を送信する、ことを特徴とする請求項１から請求項９のいずれかの請求項に記載の受信装置である。
【００３５】
上記の構成により、ＩＣカードとホスト装置とが信号処理を分担して実行し、且つ上記の効果を奏する受信装置を実現できる。
【００３６】
請求項１１に記載の発明は、デジタル音声データ又はデジタル映像データを含むデータストリームを受信する受信部と、前記デジタルストリームから同期信号を検出し、前記デジタル音声データを検出して復調し、誤り訂正復号化して出力する復調部と、ホスト装置との間で通信を行い、復号化された前記デジタル音声データ又は前記デジタル映像データと、前記デジタル音声データ又は前記デジタル映像データの誤り率又はＣ／Ｎ比に関する情報と、を前記ホスト装置に送信し、又はそれらに加えて、前記復調部が同期ロックしているか否かの情報を前記ホスト装置に送信するインターフェース部と、を有することを特徴とするＩＣカードである。
【００３７】
ＩＣカードがホスト装置に復号化されたデジタル音声データ又はデジタル映像データのみを送る構成では、ホスト装置は受信したデジタル音声データ又はデジタル映像データからその信号品位を判断することが出来ない。従って、ホスト装置は受信したデジタル音声データ又はデジタル映像データを加工することは出来ない。
本発明においては、ＩＣカードからホスト装置に所定の情報を送るので、ホスト装置は受信信号の品位応じた加工をすることが出来る。
復調部が同期ロックしていない場合、ＩＣカードがホスト装置に復号化されたデジタル音声データ又はデジタル映像データを送らなくても良いことは言うまでもない。
【００３８】
請求項１２から請求項２０に記載の本発明のホスト装置は、請求項１１に記載のＩＣカードと組み合わせることにより、請求項１から請求項９に記載の受信装置を構成でき、同様の効果を奏する。
【発明の効果】
【００３９】
本発明によれば、受信状態が変化する場合、ユーザが音声又は映像を視聴可能な確率が従来よりも高く、従来よりユーザに与える満足度が高い受信装置、ＩＣカード及びホスト装置を実現出来るという有利な効果が得られる。
本発明によれば、受信状態が変化する場合、ユーザが音声又は映像を視聴可能な確率が従来よりも高く、且つ音声又は映像にデジタル雑音が混じってもユーザに不快感をあまり感じさせない、従来よりユーザに与える満足度が高い受信装置、ＩＣカード及びホスト装置を実現出来るという有利な効果が得られる。
【００４０】
本発明によれば、受信状態が悪化して復号化された音声データ又は映像データの誤り率が訂正できない程高くなった場合、再生された音声又は映像がユーザに与える不快感を従来より軽減し、ユーザが受信装置が故障したと誤って判断する可能性が従来より低い受信装置、ＩＣカード及びホスト装置を実現出来るという有利な効果が得られる。
本発明によれば、低消費電力の受信装置、ＩＣカード及びホスト装置を実現出来るという有利な効果が得られる。
【発明を実施するための最良の形態】
【００４１】
以下本発明の実施をするための最良の形態を具体的に示した実施の形態について、図面とともに記載する。
【００４２】
《実施の形態１》
図１〜図７を用いて、本発明の実施の形態１の受信装置を説明する。実施の形態１の受信装置は、地上波デジタル放送の受信装置である。図１は、実施の形態１における、受信装置の構成の概略を示す図である。図１において、１２は受信用ＩＣカード、１３はホスト装置である。実施の形態１において、ＩＣカードは、ＳＤカードであり、ホスト装置は、ＳＤカードを装着可能な携帯端末（例えば携帯電話）である。
ＩＣカード１２は、アンテナ１、チューナ２、復調部３、ＴＳデコーダ４、伸長部５、ＢＥＲ検出部１４を有する。ホスト装置１３は、映像音声加工処理部８、ディスプレイ９、スピーカ１０、記憶部１１を有する。伸長部５は、映像デコーダ６と音声デコーダ７を有する。
【００４３】
最初にＩＣカード１２を説明する。アンテナ１は、デジタル映像データ及びデジタル音声データを含むデジタルストリームを変調したデジタル放送信号を受信する。チューナ２は、デジタル放送信号を入力し、選択されたチャンネルの放送信号を含む周波数のデジタル放送信号（デジタルストリーム）を抽出する。
【００４４】
地上波デジタルテレビジョン放送方式の放送信号は、ＯＦＤＭ（Orthogonal Frequency Division Multiplexing：直交周波数分割多重）変調方式で変調されている。復調部３は、ＯＦＤＭ変調方式に準拠した復調処理を行い、復調信号をＴＳ（Transport Stream）デコーダ４に送出する。復調部３は、チューナ２が抽出したデジタル放送信号（デジタルストリーム）から同期信号を抽出し、デジタルデータを読み取り、誤り訂正し復号化する。
【００４５】
ＢＥＲ（Bit Error Rate）検出部１４は、復調部３が受信したデジタルデータを誤り訂正する時のＢＥＲ（Bit Error Rate：ビット単位の誤り率）を算出し、映像音声加工処理部８に送出する。映像音声加工処理部８は、この情報を記憶部１１に格納する。
【００４６】
ＴＳデコーダ４は、復調部３から入力された復調信号（デジタルデータ）から、デジタル映像データ、デジタル音声データ及びその他のデータからなる複数のトランスポートパケット（ＴＳパケット）から構成されるトランスポートストリームデータ（ＴＳデータ）を抽出する。地上波デジタルテレビジョン放送では、ＭＰＥＧ２（Moving Picture Experts Group２）方式のデータ圧縮方式が採用されており、トランスポートストリームは、ＭＰＥＧ２固有のデータ方式のうちの一つである。
【００４７】
伸長部５は、映像デコーダ６と、音声デコーダ７から構成される。ＴＳデコーダ４から入力されるＴＳデータは、複数の放送番組を含有し、放送番組を構成する映像データ及び音声データとの関係を表すテーブル情報が付加されている。映像デコーダ６及び音声デコーダ７は、それぞれテーブル情報を参照することによって目的の放送番組を構成する映像データと音声データとを抽出し、ＭＰＥＧ２方式に準拠した伸長処理を行う。
【００４８】
ＩＣカード１２は、伸長された映像データ及び音声データと、ＢＥＲと、をホスト装置１３に送信する。ホスト装置１３とＩＣカード１２とは、ホスト装置１３をマスターとし、ＩＣカード１２をスレーブとするマスター／スレーブ方式の通信を行う。ホスト装置１３とＩＣカード１２とは９本の接続線で接続される。ＩＣカード１２はホスト装置１３から電力を供給され、ホスト装置１３のコマンドに従って動作する。ホスト装置１３は、１本のコマンド線を通じてＩＣカード１２にデータ送信要求コマンドを送信し、ＩＣカード１２はコマンド線を通じてコマンドに対するレスポンスを送り、コマンド線を通じて、又は４本のデータ線を通じて要求されたデータとを送信する。実施の形態において、ホスト装置１３は、ＩＣカード１２との通信時に送受信データのクロックを出力する。ＩＣカード１２はこのクロックに従ってデータを送受信する。
【００４９】
次にホスト装置１３を説明する。映像音声加工処理部８は、ＩＣカード１２から送信された伸長された映像データ及び音声データと、ＢＥＲと、を記憶部１１に格納する。映像音声加工処理部８は、記憶部１１からＢＥＲを読み出して、ＢＥＲの値に応じて、伸長されたデジタル映像データ及びデジタル音声データに対して加工処理等を行う（詳細は後述）。映像音声加工処理部８は、デジタル映像データ及びデジタル音声データをそれぞれＤ／Ａ変換して出力する。
【００５０】
ディスプレイ９は、映像音声加工処理部８が出力した映像信号を表示する。実施の形態１において、ディスプレイ９は、携帯電話に設けられた液晶ディスプレイである。
スピーカ１０は、映像音声加工処理部８が出力した音声信号を入力し、音を出す。
【００５１】
図２〜図７を用いて、実施の形態１の映像音声加工処理部８が、入力したデジタル映像データ及びデジタル音声データを加工する処理方法を説明する。図２はＢＥＲ検出部１４が映像音声加工処理部８に送出したＢＥＲの時間推移に伴う状態変化の例である。図２において、横軸は時間経過、縦軸はＢＥＲを示す。ＥＲＴＨ１はＢＥＲの同期外れ閾値、ＥＲＴＨ２はＢＥＲの同期引き込み（同期確立）閾値である。図２において、ＢＥＲはＳ２０１からＳ２０７に順次変化している。
【００５２】
ＢＥＲの同期外れ閾値ＥＲＴＨ１は、同期ロック状態の復調部３が、同期ロックを維持できなくなる閾値である。ＢＥＲが同期外れ閾値ＥＲＴＨ１より高い場合、復調部３は、受信したデジタルデータストリームの同期を取れなくなる。復調部３は、受信したデジタルデータストリームから同期信号を検出し、同期信号に従ってデータを読み取る故に、デジタルデータストリームから同期信号が抽出できなくなると、映像信号も音声信号も全く読み取れなくなる。
【００５３】
ＢＥＲの同期引き込み閾値ＥＲＴＨ２は、同期が外れている状態の復調部３が、同期ロック状態に引き込まれる閾値である。ＢＥＲが同期外れ閾値ＥＲＴＨ２より低い場合、復調部３は、受信したデジタルデータストリームから同期信号を検出し、同期信号に従ってデータを読み取れる。ＢＥＲがＥＲＴＨ２よりも低い場合は、安定した映像及び音声が得られる。
【００５４】
ＥＲＴＨ１とＥＲＴＨ２の間の領域では、復調部３は同期ロックに関しヒステリシスを有する。
音声信号・映像信号誤り訂正限界は、復調部３が同期ロックした状態で、ＢＥＲがそれより高ければ復調部３はデジタルデータの誤りを完全に訂正できなくなり、出力される音声データ又は映像データにデジタルエラーが含まれるようになる閾値である。復調部３が同期ロックした状態で、ＢＥＲが音声信号・映像信号誤り訂正限界より低ければ、復調部３はデジタルデータの誤りを完全に訂正でき、出力される音声データ又は映像データはデジタルエラーを含まない。復調部３が同期ロックを外れた状態においては、ＢＥＲが音声信号・映像信号誤り訂正限界より高くても又は低くても、復調部３は映像信号も音声信号も全く読み取れない。
【００５５】
ＢＥＲがＳ２０１の受信開始時の初期状態から始まって、図２に示すように変動したとする。映像音声処理部８は、ＢＥＲがＥＲＴＨ１よりも高い状態（Ｓ２０２及びＳ２０６）を状態Ａとする。この場合、復調部３が同期ロックを外れた状態である故に、受信装置は映像信号及び音声信号を再生できない。映像音声加工処理部８は映像信号及び音声信号の出力をミュートし、伸長部５に電力を供給している電源回路（図示しない）に、伸長部５への電力供給を停止させる。これに代えて、伸長部５へのシステムクロックの供給を禁止しても良い。
【００５６】
映像音声処理部８は、状態遷移図を用いて映像信号及び音声信号の処理を行う。映像音声処理部８は、ＢＥＲがＥＲＴＨ２以下となる状態（Ｓ２０４及びＳ２０７）を状態Ｃとする。この場合、復調部３が同期ロックした状態であり、ＢＥＲが音声信号・映像信号誤り訂正限界以下である故に、受信装置は誤りのない映像信号及び音声信号を再生できる。映像音声加工処理部８は映像信号及び音声信号を、加工処理することなく、そのままＤ／Ａ変換して出力する。
【００５７】
ＢＥＲがＥＲＴＨ２よりも高くＥＲＴＨ１以下である場合は、上記の様に復調部３の同期ロック状態はヒステリシスを有する。映像音声処理部８は、状態ＡからＢＥＲがＥＲＴＨ２よりも高くＥＲＴＨ１以下である状態に遷移した状態（Ｓ２０３）を状態Ｂとする。この場合、復調部３が同期ロックを外れた状態である故に、状態Ａと同様に、受信装置は映像信号及び音声信号を再生できない。映像音声加工処理部８は映像信号及び音声信号の出力をミュートし、伸長部５に電力を供給している電源回路（図示しない）に、伸長部５への電力供給を停止させる。これに代えて、伸長部５へのシステムクロックの供給を禁止しても良い。
【００５８】
映像音声処理部８は、状態ＣからＢＥＲがＥＲＴＨ２よりも高くＥＲＴＨ１以下である状態に遷移した状態（Ｓ２０５）を状態Ｄとする。この場合、復調部３が同期ロックした状態であるが、復号化された映像信号及び音声信号はデジタルエラーを含む可能性がある。映像音声加工処理部８は映像信号及び音声信号に後述の加工をして、Ｄ／Ａ変換して出力する。
【００５９】
図４は各状態における機能の駆動状態を示す。実施の形態１の受信装置の初期状態、及び状態Ａ〜Ｄにおいて各機能は図４に示す状態となる。初期状態、状態Ａ及び状態Ｂにおいて、復調部が受信した放送信号から同期信号を検出してデジタルデータを読み取るという同期ロック機能は正常に動作していない。映像音声加工処理部８は再生した映像信号及び音声信号をミュートして、これらの信号を出力するという再生機能を停止しており、映像信号及び音声信号に所定の加工処理を行う加工機能も停止している。実施の形態１において、復調部３が同期ロックしていない場合、ＩＣカード１２がホスト装置１３に復号化されたデジタル音声データ又はデジタル映像データを送らない。
【００６０】
状態Ｃにおいて、同期ロック機能は正常に動作しており、映像音声加工処理部８は再生した映像信号及び音声信号を出力している。再生機能は動作状態である。映像信号及び音声信号はデジタルエラーを含まない故に、映像音声加工処理部８は、映像信号及び音声信号に所定の加工処理を行う加工機能を停止している。
状態Ｄにおいて、同期ロック機能は正常に動作しており、再生機能は動作状態である。映像信号及び音声信号はデジタルエラーを含む可能性がある故に、映像音声加工処理部８は、映像信号及び音声信号に所定の加工処理を行う加工機能を動作させている。
【００６１】
図３は実施の形態１の受信装置の各状態の状態遷移図を示す。図３において、受信装置は、初期状態、状態Ａ、状態Ｂ、状態Ｃ、状態Ｄの間で遷移する。電源投入時、受信装置は初期状態となる。初期状態において、復調部３は動作していない。映像音声加工処理部８は映像信号及び音声信号の出力をミュートし、伸長部５に電力を供給している電源回路（図示しない）に、伸長部５への電力供給を停止させる。これに代えて、伸長部５へのシステムクロックの供給を禁止しても良い。尚、状態Ａ、状態Ｂ、状態Ｃ、状態Ｄにおける動作状態は既に説明した。
【００６２】
初期状態から状態Ａに遷移する。状態Ａにおいて、復調部３は受信機能（復調機能）を作動させる（３１１）。しかし、復調部３は、ＢＥＲが高くて受信した放送信号の同期信号を検出出来ない。状態Ａと状態Ｂとの間では相互に遷移可能である（３１８、３１９）。状態Ｂにおいて、状態ＡにおけるよりＢＥＲが低いが、復調部３が受信した放送信号の同期信号を検出出来ない故に、状態Ｂと状態Ａとの動作状態は同一である。状態Ｂから状態Ｃに遷移すると、復調部３が同期ロックして、映像音声加工処理部８は再生機能を作動する（３１２）。状態Ｃから状態Ｂには遷移しない。
【００６３】
状態Ｃと状態Ｄとは相互に遷移可能である。状態Ｃから状態Ｄに遷移すると、映像音声加工処理部８は映像信号及び／又は音声信号を加工する加工機能を作動させる（３１３）。状態Ｄから状態Ｃに遷移すると、映像音声加工処理部８は映像信号及び／又は音声信号を加工する加工機能を停止させる（３１４）。
状態Ｃと状態Ａとは相互に遷移可能である。状態Ｃから状態Ａに遷移すると、復調部３は同期が外れた状態になり、映像音声加工処理部８は再生機能を停止する。状態Ａから状態Ｃに遷移すると、復調部３は同期ロック状態となり、映像音声加工処理部８は再生機能を作動させる。
【００６４】
状態Ｄから状態Ａに遷移可能である。状態Ｄから状態Ａに遷移すると、復調部３は同期が外れた状態になり、映像音声加工処理部８は再生機能及び加工機能を停止する（３１５）。状態Ａから状態Ｄには遷移しない。
状態Ｂと状態Ｄとの間の遷移はない。
【００６５】
図５は実施の形態１の受信装置の状態遷移フローチャートを示す。映像音声処理部８が、状態遷移を管理する。図５において、電源起動時に初期状態となる（Ｓ５０１）。ＩＣカード１２が放送信号の受信を開始する（Ｓ５０２）。以後、ＩＣカード１２は放送信号の受信を継続する（Ｓ５０３）。ＢＥＲ検出部１４は、受信信号のＢＥＲを算出し、映像音声加工処理部８に送る（Ｓ５０４）。
映像音声加工処理部８は、受け取ったＢＥＲがＥＲＴＨ１より高いか否かを判断する（Ｓ５０５）。ＢＥＲがＥＲＴＨ１より高ければ、状態Ａとする（Ｓ５０６）。ＢＥＲがＥＲＴＨ１と同じか低ければ、ＢＥＲがＥＲＴＨ２より高いか否かを判断する（Ｓ５０７）。
【００６６】
ＢＥＲがＥＲＴＨ２より高ければ、映像音声加工処理部８は、現在の状態が状態Ｃ及び状態Ｄのいずれかであるか（復調部３が同期ロック状態か）否かを判断する（Ｓ５０８）。
現在の状態が状態Ｃ及び状態Ｄのいずれかであれば（復調部３が同期ロック状態であれば）、映像音声加工処理部８は、状態Ｄとする（Ｓ５０９）。
現在の状態が状態Ｃ及び状態Ｄのいずれでもなければ（復調部３が同期ロック状態から外れていれば）、映像音声加工処理部８は、状態Ｂとする（Ｓ５１１）。
ＢＥＲがＥＲＴＨ２と同じか低ければ、映像音声加工処理部８は、状態Ｃとする（Ｓ５１０）。Ｓ５０６、Ｓ５０９〜Ｓ５１１からＳ５０３に戻って、上記の処理を継続する。
【００６７】
図６は、実施の形態１において、映像音声加工処理部８がデジタル音声データを処理するフローチャートである。図６において、デジタル音声データの具体的な加工方法を説明する。ＩＣカード１２が放送信号を受信する（Ｓ６０１）。映像音声加工処理部８は、状態遷移図より復調部３が同期ロック状態か否かを判断する（Ｓ６０２）。同期ロック状態であれば、映像音声加工処理部８は、ＢＥＲがＥＲＴＨ２以下か否かを判断する（Ｓ６０３）。ＢＥＲがＥＲＴＨ２以下であれば、通常の再生方法で再生する（Ｓ６０４）。映像音声加工処理部８は、ＩＣカード１２から送られてきた音声信号をそのまま出力する（状態Ｃ）。Ｓ６０１に戻る。
【００６８】
Ｓ６０３でＢＥＲがＥＲＴＨ２より高ければ、Ｓ６０５（状態Ｄ）に進む。音声信号を加工するＳ６０５（状態Ｄ）は、Ｓ６０６とＳ６０７とを有する。映像音声加工処理部８は、音声信号出力レベルを小さくする。具体的には、デジタル音声データの振幅を１／１０に下げて出力する（Ｓ６０６）。映像音声加工処理部８は、音声信号の高音域をカットする。具体的にはデジタル音声データの５ｋＨｚより上の高音域をカットする（Ｓ６０７）。減衰量及び音声信号の通過帯域の設定は任意である。Ｓ６０６とＳ６０７のいずれか一方のみを実行しても良い。受信状態が悪化して音声にデジタル雑音が混じっても、ユーザに不快感をあまり感じさせない。音質は劣化するが、ユーザは、音声信号を聞けるので、放送番組の内容を楽しむことが出来る。Ｓ６０１に戻る。
【００６９】
Ｓ６０２で復調部３が同期ロック状態でなければ、Ｓ６０８（状態Ａ、Ｂ）に進む。Ｓ６０８（状態Ａ、Ｂ）は、Ｓ６０９とＳ６１０とを有する。映像音声加工処理部８は、音声信号をミュートする（Ｓ６０９）。映像音声加工処理部８は、デジタル音声データを誤り訂正する処理より後の処理回路（伸長部５を含む。）への電力供給を停止する（Ｓ６１０）。これにより省電力を図ることが出来る。Ｓ６０１に戻る。Ｓ６１０において、映像音声加工処理部８は、デジタル音声データを誤り訂正する処理より後の処理回路の少なくとも一部へのクロックの供給を停止しても良い。
【００７０】
図７は、実施の形態１において、映像音声加工処理部８がデジタル映像データを処理するフローチャートである。図７において、デジタル映像データの具体的な加工方法を説明する。ＩＣカード１２が放送信号を受信する（Ｓ７０１）。映像音声加工処理部８は、状態遷移図より復調部３が同期ロック状態か否かを判断する（Ｓ７０２）。同期ロック状態であれば、映像音声加工処理部８は、ＢＥＲがＥＲＴＨ２以下か否かを判断する（Ｓ７０３）。ＢＥＲがＥＲＴＨ２以下であれば、通常の再生方法で再生する（Ｓ７０４）。映像音声加工処理部８は、ＩＣカード１２から送られてきた映像信号をそのまま出力する（状態Ｃ）。Ｓ７０１に戻る。
【００７１】
Ｓ７０３でＢＥＲがＥＲＴＨ２より高ければ、Ｓ７０５（状態Ｄ）に進む。映像信号を加工するＳ６０５（状態Ｄ）は、Ｓ７０６とＳ７０７とを有する。映像音声加工処理部８は、所定フレーム数（実施の形態１においては５フレーム）の画像を単位として、その中で最もＢＥＲが低いフレームを選択する（Ｓ７０６）。映像音声加工処理部８は、選択されたフレームの画像データを出力する（Ｓ７０７）。実施の形態１の映像音声加工処理部８は、３０フレーム／秒のレートで入力する画像データをホスト装置１３の液晶ディスプレイに６フレーム／秒のレートで表示する。画質劣化が比較的目立たない。ユーザは、映像信号を見ることが出来るので、放送番組の内容を楽しむことが出来る。Ｓ７０１に戻る。
【００７２】
映像音声加工処理部が外部に映像信号を出力する装置において、映像音声加工処理部は、選択されたフレームを５回ずつ繰り返し出力し、３０フレーム／秒のレートを維持した映像信号を出力しても良い。所定フレーム数の設定は任意である。ＢＥＲが高いほど所定フレーム数を大きくしても良い。例えばＢＥＲが高くなるにつれて、所定フレーム数を５フレームから３０フレームまで、５フレームを単位として順次増大させる。
【００７３】
Ｓ７０２で復調部３が同期ロック状態でなければ、Ｓ７０８（状態Ａ、Ｂ）に進む。Ｓ７０８（状態Ａ、Ｂ）は、Ｓ７０９とＳ７１０とを有する。映像音声加工処理部８は、映像信号の出力を停止する（Ｓ７０９）。映像音声加工処理部８は、デジタル映像データを誤り訂正する処理より後の処理回路（伸長部５を含む。）への電力供給を停止する（Ｓ７１０）。これにより省電力を図ることが出来る。Ｓ７０１に戻る。Ｓ７１０において、映像音声加工処理部８は、デジタル映像データを誤り訂正する処理より後の処理回路の少なくとも一部へのクロックの供給を停止しても良い。
【００７４】
《実施の形態２》
図８を用いて、本発明の実施の形態２の受信装置を説明する。実施の形態２の受信装置は、地上波デジタル放送の受信装置である。
実施の形態１において、ＢＥＲ（Bit Error Rate）検出部１４は、復調部３が受信したデジタルデータを誤り訂正する時のＢＥＲを算出し、映像音声加工処理部８に送出した。これに代えて、実施の形態２において、ＢＥＲ検出部１４は、復調部３がデジタル放送信号（デジタルストリーム）から同期信号を抽出して同期ロックしているか否かの情報（映像信号の同期ロックに関する情報と、音声信号の同期ロックに関する情報と、を別個に送信する。）と、復調部３が受信したデジタルデータを誤り訂正する時の誤り率と、を検出し、映像音声加工処理部８に送信する。
【００７５】
ＩＣカード１２は、伸長された映像データ及び音声データと、ＢＥＲと、復調部３が同期ロックしたか否かの情報と、をホスト装置１３に送信する。ＩＣカード１２から送信された伸長された映像データ及び音声データと、ＢＥＲと、復調部３が同期ロックしたか否かの情報と、を記憶部１１に格納する。映像音声加工処理部８は、記憶部１１から復調部３が同期ロックしたか否かの情報と、ＢＥＲと、を読み出して、これらの情報に応じて、伸長されたデジタル映像データ及びデジタル音声データに対して加工処理等を行う。
【００７６】
復調部３は、同期信号を検出し、デジタルデータストリームからデータを読み取ることができた場合に同期ロックした状態となり、同期信号を検出できず、デジタルデータストリームからデータを読み取ることができない場合に同期ロックを外れた状態となる。ＢＥＲ検出部１４は、復調部３が同期ロックしたか否かの情報を復調部３から直接取得する。映像音声加工処理部８は、状態遷移図による状態管理を行わなくても、映像信号及び音声信号を適切に処理できる。
【００７７】
実施の形態２の映像音声加工処理部８がデジタル音声データを処理するフローチャートは、実施の形態１と同一である（図６）。
図８は、実施の形態２の映像音声加工処理部８がデジタル映像データを処理するフローチャートを示す。図８のフローチャートは、実施の形態１のフローチャート（図６）と類似しており、図６のＳ７０８（状態Ａ、Ｂ）に代えて、Ｓ８０８（状態Ａ、Ｂ）を有する。それ以外の点において、図８は図６と同一である。Ｓ８０８（状態Ａ、Ｂ）を説明する。
【００７８】
Ｓ６０２で復調部３が同期ロック状態でなければ、Ｓ６０８（状態Ａ、Ｂ）に進む。Ｓ６０８（状態Ａ、Ｂ）は、Ｓ８０９、Ｓ８１０、Ｓ６０９、Ｓ６１０を有する。映像音声加工処理部８は、映像信号が再生されているか否かをチェックする（Ｓ８０９）。デジタルストリームは、非常にデータ量が多いデジタル映像データの間に、相対的にデータ量が少ないデジタル音声データが所々挿入された構成を有する。復調部３がデジタルストリームの中の同期信号を検出してデジタル映像データを復調できているが、デジタル音声データの同期信号を検出できない場合がある。そのような場合、Ｓ８０９、Ｓ８１０の処理を行う。復調部３が、デジタル映像データもデジタル音声データも復調できない場合がある。そのような場合、Ｓ６０９、Ｓ６１０の処理を行う。尚、デジタル音声データは復調できるが、デジタル映像データが復調できない場合はない。
【００７９】
Ｓ８０９において、映像信号が再生されているが音声信号の同期が取れない場合、映像音声加工処理部８は、内蔵する乱数発生器を起動してホワイトノイズを音声信号として出力する（Ｓ８１０）。受信装置が突然全くの無音状態になるというユーザの違和感を和らげ、ユーザに受信装置が故障していないという安心感を与える。Ｓ６０１に戻る。
【００８０】
Ｓ８０９において、映像信号も音声信号も同期が取れない場合、映像音声加工処理部８は、音声信号をミュートする（Ｓ６０９）。映像音声加工処理部８は、デジタル音声データを誤り訂正する処理より後の処理回路（伸長部５を含む。）への電力供給を停止する（Ｓ６１０）。これにより省電力を図ることが出来る。Ｓ６０１に戻る。Ｓ６１０において、映像音声加工処理部８は、デジタル音声データを誤り訂正する処理より後の処理回路の少なくとも一部へのクロックの供給を停止しても良い。
【００８１】
デジタルノイズを含む音声信号がユーザに与える不快感は、デジタルノイズを含む映像信号がユーザに与える不快感に比べてはるかに大きい。図２において、ＢＥＲがＥＲＴＨ１とＥＲＴＨ２との間に第３の閾値ＥＲＴＨ３を設定しても良い。映像信号も音声信号も同期ロックした状態（状態Ｄ）において、ＢＥＲが第３の閾値ＥＲＴＨ３以下であれば、映像音声加工処理部８はＳ６０５の処理を行う。ＢＥＲが第３の閾値ＥＲＴＨ３より高ければ、映像音声加工処理部８は内蔵する乱数発生器を起動して、ホワイトノイズを音声信号として出力する（Ｓ８１０）。
【００８２】
《実施の形態３》
図９を用いて、本発明の実施の形態３の受信装置を説明する。実施の形態３の受信装置は、地上波デジタル放送の受信装置である。実施の形態３の受信装置は、映像音声加工処理部８がデジタル映像データを処理する方法（図９）のみにおいて、実施の形態１（図７）と異なる。
実施の形態３のＢＥＲ検出部１４は、デジタル映像データのフレーム毎の、フレームを複数の領域に分割した各領域についてのデジタル映像データの誤り率に関する情報を映像音声加工処理部８に送信する。
それ以外の点において、実施の形態３は実施の形態１と同一である（図１〜６）。実施の形態３において、映像音声加工処理部８がデジタル映像データを処理する方法を説明する。
【００８３】
図９は、実施の形態３において、映像音声加工処理部８がデジタル映像データを処理するフローチャートである。図９のフローチャートは、実施の形態１のフローチャート（図７）と類似しており、図７のＳ７０５（状態Ｄ）に代えて、Ｓ９０５（状態Ｄ）を有する。それ以外の点において、図９は図７と同一である。Ｓ９０５（状態Ｄ）を説明する。
【００８４】
Ｓ７０３でＢＥＲがＥＲＴＨ２より高ければ、Ｓ９０５（状態Ｄ）に進む。映像信号を加工するＳ９０５（状態Ｄ）は、Ｓ９０６とＳ９０７とを有する。映像音声加工処理部８は、所定フレーム数（実施の形態２においては５フレーム）の画像を単位として、各フレームを複数の領域に区切り、各領域について、所定フレームの中で最もＢＥＲが低いフレームを選択する（Ｓ９０６）。映像音声加工処理部８は、選択されたフレームの領域の画像データを合成して１フレームの画像データを生成し、出力する（Ｓ９０７）。実施の形態１の映像音声加工処理部８は、３０フレーム／秒のレートで入力する画像データをホスト装置１３の液晶ディスプレイに６フレーム／秒のレートで表示する。画質劣化が更に目立たない。ユーザは、映像信号を見ることが出来るので、放送番組の内容を楽しむことが出来る。Ｓ７０１に戻る。
【００８５】
映像音声加工処理部が外部に映像信号を出力する装置において、映像音声加工処理部は、生成されたフレームを５回ずつ繰り返し出力し、３０フレーム／秒のレートを維持した映像信号を出力しても良い。所定フレーム数の設定は任意である。ＢＥＲが高いほど所定フレーム数を大きくしても良い。例えばＢＥＲが高くなるにつれて、所定フレーム数を５フレームから３０フレームまで、５フレームを単位として順次増大させる。
【００８６】
《実施の形態４》
図１０を用いて、本発明の実施の形態４の受信装置を説明する。実施の形態４の受信装置は、地上波デジタル放送の受信装置である。実施の形態４の受信装置は、映像音声加工処理部８がデジタル映像データを処理する方法（図１０）のみにおいて、実施の形態１（図７）と異なる。それ以外の点において、実施の形態４は実施の形態１と同一である（図１〜６）。実施の形態４において、映像音声加工処理部８がデジタル映像データを処理する方法を説明する。
【００８７】
図１０は、実施の形態４において、映像音声加工処理部８がデジタル映像データを処理するフローチャートである。図１０のフローチャートは、実施の形態１のフローチャート（図７）と類似しており、図７のＳ７０５（状態Ｄ）に代えて、Ｓ１００５（状態Ｄ）を有する。それ以外の点において、図１０は図７と同一である。Ｓ１００５（状態Ｄ）を説明する。
【００８８】
Ｓ７０３でＢＥＲがＥＲＴＨ２より高ければ、Ｓ１００５（状態Ｄ）に進む。映像信号を加工するＳ１００５（状態Ｄ）は、Ｓ１００６とＳ１００７とを有する。実施の形態４の映像音声加工処理部８は、受信状態が悪いアナログ放送の画面に現れるホワイトノイズと類似のホワイトノイズを映像信号に加算して出力する。映像音声加工処理部８は、内蔵する乱数発生器を起動させる。乱数発生器はＢＥＲに応じたホワイトノイズを生成する（Ｓ１００６）。実施の形態４において、ＢＥＲが１０倍になると、乱数発生器は振幅が２倍のホワイトノイズを出力する。映像音声加工処理部８は、デジタル映像データにホワイトノイズを加算する（Ｓ１００７）。Ｓ７０１に戻る。
【００８９】
完全なエラー訂正ができなかった画像においては、各ピクセルにおいて、デジタル映像データ及びデジタルノイズのいずれか一方が排他的に表示される（いわゆるノンアディティブミックス）。実施の形態４の映像音声加工処理部８は、各ピクセル毎に、デジタル映像データにホワイトノイズを加算する（いわゆるアディティブミックス）。アナログ放送信号に慣れたユーザにとって自然に感じる劣化した画像を表示できる。これにより美しい表示と完全なノイズとのコントラストを和らげ、ユーザに与える不快感を低減する。ユーザが誤って受信装置が故障と判断する可能性を低くすることが出来る。
【００９０】
《実施の形態５》
図１１を用いて、本発明の実施の形態５の受信装置を説明する。実施の形態５の受信装置は、ＩＣカード１１０２とホスト装置１１０３とを有する。実施の形態５の受信装置は、地上波デジタル放送の受信装置である。実施の形態５の受信装置は、伸長部５がホスト装置１１０３に属することにおいて、図１の構成とは異なるが、それ以外の点においては同一である。
【００９１】
上記の実施の形態において、受信状態を判断する基準として、ビット単位の誤り率（ＢＥＲ）を用いたが、これに代えて、電界強度に応じた電圧、電流又は電力等のＣＮ比（Carrier to Noise ratio）を用いても良い。
【００９２】
また、同期外れ閾値ＥＲＴＨ１及び同期引き込み閾値ＥＲＴＨ２は、固定値としたが、適応的に変動する値でも良い。
【００９３】
実施の形態１、３〜５において、状態遷移図を用いて受信装置を制御した。状態遷移図に代えて、フラグを用いて受信装置を制御しても良い。その場合、映像音声加工処理部８がフラグの管理を行う。
【００９４】
実施の形態２の発明を、実施の形態３〜５に適用しても良い。
実施の形態の受信装置は、地上波デジタル放送の受信装置であった。しかしこれに限られず、受信装置は他の任意の装置であっても良い。本発明は、特に無線伝送信号を受信する受信装置に有用である。例えば、デジタル衛星放送の受信装置、携帯電話等である。
【産業上の利用可能性】
【００９５】
本発明は、例えば、地上波デジタルテレビジョン放送の受信装置等の無線伝送信号を受信する受信装置に適用することが出来る。
【図面の簡単な説明】
【００９６】
【図１】本発明の実施の形態１における、受信装置の構成の概略を示すブロック図
【図２】本発明の実施の形態１における、ＢＥＲの時間推移の例を示す図
【図３】本発明の実施の形態１における、状態遷移を示す図
【図４】本発明の実施の形態１における、機能の動作状態を示す図
【図５】本発明の実施の形態１における、状態遷移フロー図
【図６】本発明の実施の形態１における、音声信号に関する状態遷移フロー図
【図７】本発明の実施の形態１における、映像信号に関する状態遷移フロー図
【図８】本発明の実施の形態２における、音声信号に関する状態遷移フロー図
【図９】本発明の実施の形態３における、映像信号に関する状態遷移フロー図
【図１０】本発明の実施の形態４における、映像信号に関する状態遷移フロー図
【図１１】本発明の実施の形態５における、受信装置の構成の概略を示すブロック図
【符号の説明】
【００９７】
１  アンテナ
２  チューナ
３  復調部
４  ＴＳデコーダ
５  伸長部
６  映像デコーダ
７  音声デコーダ
８  映像音声加工処理部
９  ディスプレイ
１０  スピーカ
１１  記憶部
１２、１１０２  受信用ＩＣカード
１３、１１０３  ホスト装置
１４  ＢＥＲ検出部
ＥＲＴＨ１  ＢＥＲの同期外れ閾値
ＥＲＴＨ２  ＢＥＲの同期引き込み閾値
【図１】
2006067122.tif 000003
【図２】
2006067122.tif 000004
【図３】
2006067122.tif 000005
【図４】
2006067122.tif 000006
【図５】
2006067122.tif 000007
【図６】
2006067122.tif 000008
【図７】
2006067122.tif 000009
【図８】
2006067122.tif 000010
【図９】
2006067122.tif 000011
【図１０】
2006067122.tif 000012
【図１１】
2006067122.tif 000013